(57)【要約】【課題】  データを移行する作業時間を短縮することができる電子機器およびデータ移行プログラムを提供する。【解決手段】  特定種類データを記憶可能な記憶部を備えるＭＦＰは、ＭＦＰの起動モードを決定し（Ｓ１０４）、決定した起動モードでＭＦＰを起動し（Ｓ１１１〜Ｓ１２６）、起動モードには、通常起動モード（Ｓ１１１〜Ｓ１１６）と、記憶部へ特定種類データを移行するためのデータ移行起動モード（Ｓ１２１〜Ｓ１２６）とが存在し、データ移行起動モードは、通常起動モードで実行される処理のうち、記憶部へ特定種類データを移行するのに不要な少なくとも一部の処理（Ｓ１１２〜Ｓ１１６）が実行されないモードであることを特徴とする。【選択図】  図５
2018160139.tif 000002
【特許請求の範囲】
【請求項１】
電子機器であって、
特定の種類のデータを記憶可能な特定種類データ用記憶デバイスと、
前記電子機器の起動モードを決定する起動モード決定手段と、
前記起動モード決定手段によって決定された前記起動モードで前記電子機器を起動する機器起動手段と
を備え、
前記起動モードには、
通常起動モードと、
前記特定種類データ用記憶デバイスへ前記特定の種類のデータを移行するためのデータ移行起動モードと
が少なくとも存在し、
前記データ移行起動モードは、前記通常起動モードで実行される処理のうち、前記特定種類データ用記憶デバイスへ前記特定の種類のデータを移行するのに不要な少なくとも一部の処理が実行されないモードであることを特徴とする電子機器。
【請求項２】
前記起動モード決定手段は、前記起動モードを前記データ移行起動モードに決定することを妨げるデータ移行起動妨条件を満たしている場合に、前記起動モードを前記通常起動モードに決定することを特徴とする請求項１に記載の電子機器。
【請求項３】
前記起動モード決定手段は、前記起動モードを前記データ移行起動モードに決定することを促すデータ移行起動促条件のうちの特定の条件を満たしている場合であっても、前記データ移行起動妨条件のうちの特定の条件を満たしているときに、前記起動モードを前記通常起動モードに決定することを特徴とする請求項２に記載の電子機器。
【請求項４】
前記起動モード決定手段は、前記起動モードを前記データ移行起動モードに決定することを促すデータ移行起動促条件を満たしている場合に、前記起動モードを前記データ移行起動モードに決定することを特徴とする請求項１に記載の電子機器。
【請求項５】
前記起動モード決定手段は、前記起動モードを前記データ移行起動モードに決定することを妨げるデータ移行起動妨条件のうちの特定の条件を満たしている場合であっても、前記データ移行起動促条件のうちの特定の条件を満たしているときに、前記起動モードを前記データ移行起動モードに決定することを特徴とする請求項４に記載の電子機器。
【請求項６】
前記データ移行起動促条件には、
第１の操作で前記電子機器が起動されたという条件と、
前記特定種類データ用記憶デバイスではない、特定のデータを記憶している特定データ記憶デバイスが前記電子機器に装着されているという条件と
の少なくとも１つが存在することを特徴とする請求項３〜５の何れかに記載の電子機器。
【請求項７】
前記データ移行起動妨条件には、
第２の操作で前記電子機器が起動されたという条件と、
前記特定種類データ用記憶デバイスに前記特定の種類のデータが記憶されているという条件と
の少なくとも１つが存在することを特徴とする請求項２、３、及び５の何れかに記載の電子機器。
【請求項８】
前記データ移行起動促条件に、前記特定データ記憶デバイスが前記電子機器に装着されているという条件が存在し、
前記機器起動手段は、前記特定データ記憶デバイスが前記電子機器に装着されているという条件を満たしたことによって前記起動モード決定手段によって前記起動モードとして決定された前記データ移行起動モードで前記電子機器を起動した場合に、前記特定種類データ用記憶デバイスへ前記特定の種類のデータを移行した後に、前記特定データ記憶デバイスから前記特定のデータを消去することを特徴とする請求項６に記載の電子機器。
【請求項９】
特定の種類のデータを記憶可能な特定種類データ用記憶デバイスを備える電子機器に、
前記電子機器の起動モードを決定する起動モード決定手段と、
前記起動モード決定手段によって決定された前記起動モードで前記電子機器を起動する機器起動手段と
を実現させ、
前記起動モードには、
通常起動モードと、
前記特定種類データ用記憶デバイスへ前記特定の種類のデータを移行するためのデータ移行起動モードと
が少なくとも存在し、
前記データ移行起動モードは、前記通常起動モードで実行される処理のうち、前記特定種類データ用記憶デバイスへ前記特定の種類のデータを移行するのに不要な少なくとも一部の処理が実行されないモードであることを特徴とするデータ移行プログラム。
【発明の詳細な説明】
【技術分野】
【０００１】
本発明は、特定の種類のデータが移行される電子機器およびデータ移行プログラムに関する。
【背景技術】
【０００２】
従来の電子機器として、利用者のアドレス帳のデータ、利用者のアカウントのデータなど、特定の種類のデータを記憶可能な記憶デバイスを備える画像形成装置が知られている。
【０００３】
画像形成装置のリプレース時などの際には、画像形成装置の販売会社のサービスパーソン、画像形成装置の購入者側のシステム管理者など、作業者によって特定の種類のデータが画像形成装置の記憶デバイスに移行される。
【０００４】
特定の種類のデータが画像形成装置の記憶デバイスに移行される場合、まず、画像形成装置が起動される必要がある。しかしながら、画像形成装置の起動には、用紙などの記録媒体に画像を印刷する印刷デバイスであるプリンターと、プリンターの制御プログラムとの起動、原稿から画像を読み取る読取デバイスであるスキャナーと、スキャナーの制御プログラムとの起動など、記憶デバイスへ特定の種類のデータを移行するのに不要な様々なデバイスやプログラムの起動が含まれるので、記憶デバイスへ特定の種類のデータを移行するのに不要な様々なデバイスやプログラムの起動の時間分、記憶デバイスへ特定の種類のデータを移行する作業時間が必要以上に長くなっているという問題がある。
【０００５】
ここで、従来の電子機器として、起動時に起動モードを決定し、決定した起動モードで起動するものが知られている（例えば、特許文献１参照。）。
【先行技術文献】
【特許文献】
【０００６】
【特許文献１】特開２０１４−０７８１９１号公報
【発明の概要】
【発明が解決しようとする課題】
【０００７】
しかしながら、特許文献１に記載された電子機器においては、記憶デバイスへ特定の種類のデータを移行するための起動モードで起動することができないので、記憶デバイスへ特定の種類のデータを移行する作業時間を短縮することはできないという問題がある。
【０００８】
そこで、本発明は、データを移行する作業時間を短縮することができる電子機器およびデータ移行プログラムを提供することを目的とする。
【課題を解決するための手段】
【０００９】
本発明の電子機器は、特定の種類のデータを記憶可能な特定種類データ用記憶デバイスと、前記電子機器の起動モードを決定する起動モード決定手段と、前記起動モード決定手段によって決定された前記起動モードで前記電子機器を起動する機器起動手段とを備え、前記起動モードには、通常起動モードと、前記特定種類データ用記憶デバイスへ前記特定の種類のデータを移行するためのデータ移行起動モードとが少なくとも存在し、前記データ移行起動モードは、前記通常起動モードで実行される処理のうち、前記特定種類データ用記憶デバイスへ前記特定の種類のデータを移行するのに不要な少なくとも一部の処理が実行されないモードであることを特徴とする。
【００１０】
この構成により、本発明の電子機器は、通常起動モードで実行される処理のうち特定種類データ用記憶デバイスへ特定の種類のデータを移行するのに不要な少なくとも一部の処理が実行されないデータ移行起動モードによって短時間で起動することができるので、特定種類データ用記憶デバイスへ特定の種類のデータを移行する作業時間を短縮することができる。
【００１１】
本発明の電子機器において、前記起動モード決定手段は、前記起動モードを前記データ移行起動モードに決定することを妨げるデータ移行起動妨条件を満たしている場合に、前記起動モードを前記通常起動モードに決定しても良い。
【００１２】
この構成により、本発明の電子機器は、データ移行起動妨条件を満たしている場合に通常起動モードで起動するので、利便性を向上することができる。
【００１３】
本発明の電子機器において、前記起動モード決定手段は、前記起動モードを前記データ移行起動モードに決定することを促すデータ移行起動促条件のうちの特定の条件を満たしている場合であっても、前記データ移行起動妨条件のうちの特定の条件を満たしているときに、前記起動モードを前記通常起動モードに決定しても良い。
【００１４】
この構成により、本発明の電子機器は、データ移行起動促条件のうちの特定の条件を満たしている場合であっても、データ移行起動妨条件のうちの特定の条件を満たしているときに、通常起動モードで起動するので、データ移行起動促条件のうちの特定の条件を満たしている場合であっても、データ移行起動モードで起動することが不要なときに、データ移行起動モードで起動することを防ぐことができる。
【００１５】
本発明の電子機器において、前記起動モード決定手段は、前記起動モードを前記データ移行起動モードに決定することを促すデータ移行起動促条件を満たしている場合に、前記起動モードを前記データ移行起動モードに決定しても良い。
【００１６】
この構成により、本発明の電子機器は、データ移行起動促条件を満たしている場合にデータ移行起動モードで起動するので、利便性を向上することができる。
【００１７】
本発明の電子機器において、前記起動モード決定手段は、前記起動モードを前記データ移行起動モードに決定することを妨げるデータ移行起動妨条件のうちの特定の条件を満たしている場合であっても、前記データ移行起動促条件のうちの特定の条件を満たしているときに、前記起動モードを前記データ移行起動モードに決定しても良い。
【００１８】
この構成により、本発明の電子機器は、データ移行起動妨条件のうちの特定の条件を満たしている場合であっても、データ移行起動促条件のうちの特定の条件を満たしているときに、データ移行起動モードで起動するので、データ移行起動妨条件のうちの特定の条件を満たしている場合であっても、データ移行起動モードで起動することが必要なときに、データ移行起動モードで起動することができる。
【００１９】
本発明の電子機器において、前記データ移行起動促条件には、第１の操作で前記電子機器が起動されたという条件と、前記特定種類データ用記憶デバイスではない、特定のデータを記憶している特定データ記憶デバイスが前記電子機器に装着されているという条件との少なくとも１つが存在しても良い。
【００２０】
この構成により、本発明の電子機器は、第１の操作で起動された場合や、特定種類データ用記憶デバイスではない、特定のデータを記憶している特定データ記憶デバイスが装着されている場合にデータ移行起動モードで起動するので、利便性を向上することができる。
【００２１】
本発明の電子機器において、前記データ移行起動妨条件には、第２の操作で前記電子機器が起動されたという条件と、前記特定種類データ用記憶デバイスに前記特定の種類のデータが記憶されているという条件との少なくとも１つが存在しても良い。
【００２２】
この構成により、本発明の電子機器は、第２の操作で起動された場合や、特定種類データ用記憶デバイスに特定の種類のデータが記憶されている場合に通常起動モードで起動するので、利便性を向上することができる。
【００２３】
本発明の電子機器は、前記データ移行起動促条件に、前記特定データ記憶デバイスが前記電子機器に装着されているという条件が存在し、前記機器起動手段は、前記特定データ記憶デバイスが前記電子機器に装着されているという条件を満たしたことによって前記起動モード決定手段によって前記起動モードとして決定された前記データ移行起動モードで前記電子機器を起動した場合に、前記特定種類データ用記憶デバイスへ前記特定の種類のデータを移行した後に、前記特定データ記憶デバイスから前記特定のデータを消去しても良い。
【００２４】
この構成により、本発明の電子機器は、特定データ記憶デバイスが装着されているという条件を満たしたことによってデータ移行起動モードで起動された場合に、特定種類データ用記憶デバイスへ特定の種類のデータを移行した後に、特定データ記憶デバイスから特定のデータを消去するので、次回の起動時にデータ移行起動モードで起動されることを防ぐことができる。
【００２５】
本発明のデータ移行プログラムは、特定の種類のデータを記憶可能な特定種類データ用記憶デバイスを備える電子機器に、前記電子機器の起動モードを決定する起動モード決定手段と、前記起動モード決定手段によって決定された前記起動モードで前記電子機器を起動する機器起動手段とを実現させ、前記起動モードには、通常起動モードと、前記特定種類データ用記憶デバイスへ前記特定の種類のデータを移行するためのデータ移行起動モードとが少なくとも存在し、前記データ移行起動モードは、前記通常起動モードで実行される処理のうち、前記特定種類データ用記憶デバイスへ前記特定の種類のデータを移行するのに不要な少なくとも一部の処理が実行されないモードであることを特徴とする。
【００２６】
この構成により、本発明のデータ移行プログラムを実行する電子機器は、通常起動モードで実行される処理のうち特定種類データ用記憶デバイスへ特定の種類のデータの移行に不要な少なくとも一部の処理が実行されないデータ移行起動モードによって短時間で起動することができるので、特定種類データ用記憶デバイスへ特定の種類のデータを移行する作業時間を短縮することができる。
【発明の効果】
【００２７】
本発明の電子機器およびデータ移行プログラムは、データを移行する作業時間を短縮することができる。
【図面の簡単な説明】
【００２８】
【図１】本発明の一実施の形態に係るＭＦＰのブロック図である。
【図２】図１に示すデータ移行起動促条件情報の一例を示す図である。
【図３】図１に示すデータ移行起動妨条件情報の一例を示す図である。
【図４】図１に示す条件組み合わせ情報の一例を示す図である。
【図５】起動時の図１に示すＭＦＰの動作のフローチャートである。
【図６】データ移行起動モードでの図１に示す表示部の画面の一例を示す図である。
【図７】通常起動モードでの図１に示す表示部の画面の一例を示す図である。
【図８】通常起動モードで起動される場合に記憶部に特定種類データが移行されるときの図１に示すＭＦＰの主な処理の流れを示す図である。
【図９】データ移行モードで起動される場合の図１に示すＭＦＰの主な処理の流れを示す図である。
【図１０】図１に示す記憶部に記憶される優先度情報の一例を示す図である。
【発明を実施するための形態】
【００２９】
以下、本発明の一実施の形態について、図面を用いて説明する。
【００３０】
まず、本実施の形態に係る電子機器としてのＭＦＰ（Ｍｕｌｔｉｆｕｎｃｔｉｏｎ  Ｐｅｒｉｐｈｅｒａｌ）の構成について説明する。
【００３１】
図１は、本実施の形態に係るＭＦＰ１０のブロック図である。
【００３２】
図１に示すように、ＭＦＰ１０は、種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、用紙などの記録媒体に画像を印刷する印刷デバイスであるプリンター１３と、原稿から画像を読み取る読取デバイスであるスキャナー１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部１６と、ＵＳＢ(Ｕｎｉｖｅｒｓａｌ  Ｓｅｒｉａｌ  Ｂｕｓ)メモリーなどの、ＭＦＰ１０の外部の記憶媒体９０が接続されるインターフェイス１７と、ＭＦＰ１０の電源が切断されている状態でも読み書き可能な記憶デバイスとしてのＮＦＣ（Ｎｅａｒ  Ｆｉｅｌｄ  Ｃｏｍｍｕｎｉｃａｔｉｏｎ）タグ１８と、各種の情報を記憶する半導体メモリー、ＨＤＤ（Ｈａｒｄ  Ｄｉｓｋ  Ｄｒｉｖｅ）などの不揮発性の記憶デバイスである記憶部１９と、ＭＦＰ１０全体を制御する制御部２０とを備えている。
【００３３】
操作部１１には、ＭＦＰ１０に電源を投入するための電源ボタン１１ａが含まれている。
【００３４】
インターフェイス１７に接続される記憶媒体９０は、特定のデータ９０ａを記憶している場合にのみ、本発明の特定データ記憶デバイスを構成する。ここで、データ９０ａは、記憶部１９へ後述の特定の種類のデータ（以下「特定種類データ」と言う。）を移行するためのデータであり、特定種類データそのものでも良い。
【００３５】
ＮＦＣタグ１８は、特定のデータ１８ａを記憶している場合にのみ、本発明の特定データ記憶デバイスを構成する。ここで、データ１８ａは、記憶部１９へ特定種類データを移行するためのデータであり、特定種類データそのものでも良い。
【００３６】
記憶部１９は、ＯＳ（Ｏｐｅｒａｔｉｎｇ  Ｓｙｓｔｅｍ）１９ａを記憶している。ＯＳ１９ａは、ＭＦＰ１０の製造段階でＭＦＰ１０にインストールされていても良いし、ＵＳＢメモリーなどの外部の記憶媒体からＭＦＰ１０に追加でインストールされても良いし、ネットワーク上からＭＦＰ１０に追加でインストールされても良い。
【００３７】
記憶部１９は、ＭＦＰ１０の起動モードを決定するための起動モード決定プログラム１９ｂと、通常起動モードでＭＦＰ１０を起動するための通常起動プログラム１９ｃと、記憶部１９へ特定種類データを移行するためのデータ移行起動モードでＭＦＰ１０を起動するためのデータ移行起動プログラム１９ｄとを記憶している。起動モード決定プログラム１９ｂ、通常起動プログラム１９ｃおよびデータ移行起動プログラム１９ｄは、ＯＳ１９ａ上で動作する。起動モード決定プログラム１９ｂ、通常起動プログラム１９ｃおよびデータ移行起動プログラム１９ｄは、それぞれ、ＭＦＰ１０の製造段階でＭＦＰ１０にインストールされていても良いし、ＵＳＢメモリーなどの外部の記憶媒体からＭＦＰ１０に追加でインストールされても良いし、ネットワーク上からＭＦＰ１０に追加でインストールされても良い。なお、起動モード決定プログラム１９ｂ、通常起動プログラム１９ｃおよびデータ移行起動プログラム１９ｄは、特定種類データを記憶部１９に移行するためのデータ移行プログラムとして纏められても良い。
【００３８】
記憶部１９は、特定種類データ１９ｅを記憶可能であり、本発明の特定種類データ用記憶デバイスを構成している。特定種類データ１９ｅは、例えば、利用者のアドレス帳のデータや、利用者のアカウントのデータである。
【００３９】
記憶部１９は、起動モードをデータ移行起動モードに決定することを促すデータ移行起動促条件を示すデータ移行起動促条件情報１９ｆを記憶している。
【００４０】
図２は、データ移行起動促条件情報１９ｆの一例を示す図である。
【００４１】
例えば、データ移行起動促条件情報１９ｆには、図２に示すように、第１の操作でＭＦＰ１０が起動されたという条件（以下「条件Ａ１」と言う。）と、特定データ記憶デバイスとしてのＮＦＣタグ１８や記憶媒体９０がＭＦＰ１０に装着されているという条件（以下「条件Ａ２」と言う。）とが存在している。本実施の形態において、条件Ａ１又は条件Ａ２が満たされる場合、データ移行起動促条件が満たされるものとする。
【００４２】
条件Ａ１における第１の操作としては、例えば、ＭＦＰ１０が起動されていない場合に電源ボタン１１ａが押された時点で、電源ボタン１１ａ以外の操作部１１の特定のボタンが押されているという操作がある。
【００４３】
条件Ａ２における特定データ記憶デバイスは、例えば、特定のファイル名のデータを記憶している場合に、特定のデータを記憶していると判断される。
【００４４】
図１に示すように、記憶部１９は、起動モードをデータ移行起動モードに決定することを妨げるデータ移行起動妨条件を示すデータ移行起動妨条件情報１９ｇを記憶している。
【００４５】
図３は、データ移行起動妨条件情報１９ｇの一例を示す図である。
【００４６】
例えば、データ移行起動妨条件情報１９ｇには、図３に示すように、第２の操作でＭＦＰ１０が起動されたという条件（以下「条件Ｂ１」と言う。）と、記憶部１９に特定種類データ１９ｅが記憶されているという条件（以下「条件Ｂ２」と言う。）とが存在している。本実施の形態において、条件Ｂ１又は条件Ｂ２が満たされる場合、データ移行起動妨条件が満たされるものとする。
【００４７】
条件Ｂ１における第２の操作としては、例えば、ＭＦＰ１０が起動されていない場合に電源ボタン１１ａが押された時点で、電源ボタン１１ａ以外の操作部１１の特定のボタンが押されているという操作がある。なお、本実施の形態において、条件Ｂ１における第２の操作は、条件Ａ１における第１の操作とは異なるものとする。具体的には、例えば、条件Ｂ１における第２の操作として押される特定のボタンは、条件Ａ１における第１の操作として押される特定のボタンとは異なる。
【００４８】
条件Ｂ２における特定種類データ１９ｅの存在の判断方法としては、例えば、特定種類データ１９ｅが存在しなければ特定種類データ１９ｅ用の空のファイルも存在しない構成がＭＦＰ１０の構成である場合には、特定種類データ１９ｅ用のファイルが存在することがファイル名に基づいて確認されたときに、特定種類データ１９ｅが存在すると判断される方法がある。また、特定種類データ１９ｅが存在しなくても特定種類データ１９ｅ用の空のファイルが存在する構成がＭＦＰ１０の構成である場合には、特定種類データ１９ｅ用のファイルのファイルサイズが特定のサイズ（例えば０ｂｙｔｅ）を超えるときに、特定種類データ１９ｅが存在すると判断される方法がある。また、特定種類データ１９ｅが記憶された場合に特定のフラグが立つ構成がＭＦＰ１０の構成である場合には、このフラグが立っているときに、特定種類データ１９ｅが存在すると判断される方法がある。
【００４９】
図１に示すように、記憶部１９は、データ移行起動促条件のうちの特定の条件と、データ移行起動妨条件のうちの特定の条件との両方を満たしている場合にデータ移行起動促条件およびデータ移行起動妨条件の何れが優先されるかを示す条件組み合わせ情報１９ｈを記憶している。
【００５０】
図４は、条件組み合わせ情報１９ｈの一例を示す図である。
【００５１】
例えば、図４に示す条件組み合わせ情報１９ｈには、データ移行起動促条件のうちの条件Ａ２を満たしている場合であっても、データ移行起動妨条件のうちの条件Ｂ１を満たしているときに、データ移行起動妨条件が優先される、すなわち、起動モードとしてデータ移行起動モードではなく通常起動モードが決定されるという情報が含まれている。また、図４に示す条件組み合わせ情報１９ｈには、データ移行起動妨条件のうちの条件Ｂ２を満たしている場合であっても、データ移行起動促条件のうちの条件Ａ１を満たしているときに、データ移行起動促条件が優先される、すなわち、起動モードとして通常起動モードではなくデータ移行起動モードが決定されるという情報が含まれている。
【００５２】
図１に示す制御部２０は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１９に記憶されているプログラムを実行する。
【００５３】
制御部２０は、起動モード決定プログラム１９ｂを実行することによって、ＭＦＰ１０の起動モードを決定する起動モード決定手段２０ａを実現する。制御部２０は、通常起動プログラム１９ｃを実行することによって、通常起動モードでＭＦＰ１０を起動する通常起動手段２０ｂを実現する。制御部２０は、データ移行起動プログラム１９ｄを実行することによって、データ移行起動モードでＭＦＰ１０を起動するデータ移行起動手段２０ｃを実現する。通常起動手段２０ｂおよびデータ移行起動手段２０ｃは、起動モード決定手段２０ａによって決定された起動モードでＭＦＰ１０を起動する機器起動手段を構成している。
【００５４】
次に、起動時のＭＦＰ１０の動作について説明する。
【００５５】
ＭＦＰ１０は、電源ボタン１１ａが押されると、記憶部１９および制御部２０に電力が供給された後、図５に示す動作を実行する。
【００５６】
図５は、起動時のＭＦＰ１０の動作のフローチャートである。
【００５７】
図５に示すように、制御部２０は、ＯＳ１９ａを起動した後（Ｓ１０１）、起動モード決定プログラム１９ｂを起動する（Ｓ１０２）。
【００５８】
次いで、起動モード決定手段２０ａは、データ移行起動促条件情報１９ｆおよびデータ移行起動妨条件情報１９ｇに基づいてデータ移行起動促条件およびデータ移行起動妨条件のうちの何れを満たすかを判定する（Ｓ１０３）。
【００５９】
次いで、起動モード決定手段２０ａは、Ｓ１０３における判定結果と、条件組み合わせ情報１９ｈとに基づいて起動モードとして通常起動モードおよびデータ移行起動モードの何れかを決定する（Ｓ１０４）。
【００６０】
起動モード決定手段２０ａは、データ移行起動促条件およびデータ移行起動妨条件のうちの何れも満たさないとＳ１０３において判定するか、データ移行起動促条件およびデータ移行起動妨条件のうちのデータ移行起動妨条件のみを満たすとＳ１０３において判定すると、Ｓ１０４において起動モードを通常起動モードに決定する。また、起動モード決定手段２０ａは、データ移行起動促条件のうちの何れかと、データ移行起動妨条件のうちの何れかとを満たすとＳ１０３において判定した場合に、データ移行起動促条件のうち満たしている条件と、データ移行起動妨条件のうち満たしている条件と、条件組み合わせ情報１９ｈとに基づいてデータ移行起動妨条件が優先されるとき、Ｓ１０４において起動モードを通常起動モードに決定する。
【００６１】
起動モード決定手段２０ａは、データ移行起動促条件およびデータ移行起動妨条件のうちのデータ移行起動促条件のみを満たすとＳ１０３において判定すると、Ｓ１０４において起動モードをデータ移行起動モードに決定する。また、起動モード決定手段２０ａは、データ移行起動促条件のうちの何れかと、データ移行起動妨条件のうちの何れかとを満たすとＳ１０３において判定した場合に、データ移行起動促条件のうち満たしている条件と、データ移行起動妨条件のうち満たしている条件と、条件組み合わせ情報１９ｈとに基づいてデータ移行起動促条件が優先されるとき、Ｓ１０４において起動モードをデータ移行起動モードに決定する。
【００６２】
起動モード決定手段２０ａは、Ｓ１０４の処理の後、Ｓ１０４において決定した起動モードを判断する（Ｓ１０５）。
【００６３】
起動モード決定手段２０ａは、起動モードを通常起動モードに決定したとＳ１０５において判断すると、通常起動プログラム１９ｃを起動する（Ｓ１１１）。
【００６４】
次いで、通常起動手段２０ｂは、プリンター１３と、プリンター１３の制御プログラムとを起動させ（Ｓ１１２）、スキャナー１４と、スキャナー１４の制御プログラムとを起動させ（Ｓ１１３）、表示部１２と、表示部１２の制御プログラムとを起動させ（Ｓ１１４）、ファックス通信部１５と、ファックス通信部１５の制御プログラムとを起動させ（Ｓ１１５）、通信部１６と、通信部１６の制御プログラムとを起動させて（Ｓ１１６）、図５に示す動作を終了する。
【００６５】
なお、ＭＦＰ１０は、通常起動モードで起動された場合であっても、操作部１１から入力された操作に応じて、特定種類データをＮＦＣタグ１８や記憶媒体９０から記憶部１９に移行することが可能である。
【００６６】
起動モード決定手段２０ａは、起動モードをデータ移行起動モードに決定したとＳ１０５において判断すると、データ移行起動プログラム１９ｄを起動する（Ｓ１２１）。
【００６７】
次いで、データ移行起動手段２０ｃは、表示部１２と、表示部１２の制御プログラムとを起動させる（Ｓ１２２）。
【００６８】
ここで、データ移行起動モードでの表示部１２の表示モードは、通常起動モードでの表示部１２の表示モードより簡素である。例えば、データ移行起動モードでの表示部１２の画面は、図６に示す画面３０のように、モノクロで、低解像度で、少数の文字種（例えば、全角カタカナ、黒い四角の記号、白い四角の記号など）のみを表示可能であり、図形を表示することができなくても良い。一方、通常起動モードでの表示部１２の画面は、図７に示す画面４０のように、カラーで、高解像度で、多数の文字種（例えば、半角数字、半角英字、半角カタカナ、全角数字、全角英字、全角カタカナ、全角ひらがな、全角漢字、各種の記号など）を表示可能であり、図形も表示可能である。したがって、Ｓ１２２において起動させられる制御プログラムは、Ｓ１１４において起動させられる制御プログラムと比較して、簡易なものであり、短時間で起動が終了する。
【００６９】
次いで、データ移行起動手段２０ｃは、特定種類データをＮＦＣタグ１８や記憶媒体９０から記憶部１９に移行する（Ｓ１２３）。すなわち、データ移行起動手段２０ｃは、ＮＦＣタグ１８にデータ１８ａが記憶されている場合にデータ１８ａに基づいて記憶部１９に特定種類データ１９ｅを記憶し、記憶媒体９０にデータ９０ａが記憶されている場合にデータ９０ａに基づいて記憶部１９に特定種類データ１９ｅを記憶する。なお、データ移行起動手段２０ｃは、ＮＦＣタグ１８にデータ１８ａが記憶されているとともに、記憶媒体９０にデータ９０ａが記憶されている場合、ＮＦＣタグ１８に記憶されているデータ１８ａと、記憶媒体９０に記憶されているデータ９０ａとの何れに基づいて記憶部１９に特定種類データ１９ｅを記憶するかが事前に設定されていると良い。
【００７０】
データ移行起動手段２０ｃは、Ｓ１２３の処理を開始すると、図６に示す画面３０を表示部１２に表示しても良い。画面３０には、記憶部１９へ特定種類データを移行する処理を実行中であることを示す「データイコウ  ジッコウチュウ」というメッセージ３１と、記憶部１９へ特定種類データを移行する処理の進行状況を黒い四角の記号および白い四角の記号によって示すプログレスバー３２とが含まれている。
【００７１】
データ移行起動手段２０ｃは、Ｓ１２３の処理の後、条件Ａ２を満たしたことによってデータ移行起動モードで起動されたか否かを判断する（Ｓ１２４）。
【００７２】
データ移行起動手段２０ｃは、条件Ａ２を満たしたことによってデータ移行起動モードで起動されたとＳ１２４において判断すると、Ｓ１２３において特定種類データを移行するのに使用したデータを特定データ記憶デバイスから消去する（Ｓ１２５）。すなわち、データ移行起動手段２０ｃは、Ｓ１２３において特定種類データを移行するのにデータ１８ａを使用した場合にＮＦＣタグ１８からデータ１８ａを消去し、Ｓ１２３において特定種類データを移行するのにデータ９０ａを使用した場合に記憶媒体９０からデータ９０ａを消去する。
【００７３】
データ移行起動手段２０ｃは、条件Ａ２を満たしたことによってデータ移行起動モードで起動されたのではないとＳ１２４において判断するか、Ｓ１２５の処理を終了すると、電源を落とす処理を開始して（Ｓ１２６）、図５に示す動作を終了する。
【００７４】
図８は、通常起動モードで起動される場合に記憶部１９に特定種類データが移行されるときのＭＦＰ１０の主な処理の流れを示す図である。図９は、データ移行モードで起動される場合のＭＦＰ１０の主な処理の流れを示す図である。
【００７５】
図８に示すように、通常起動モードで起動される場合に記憶部１９に特定種類データが移行されるときは、電源ボタン１１ａが押されて電源がＯＮされて（Ｓ１３１）から記憶部１９への特定種類データの移行が開始される（Ｓ１３２）までに、多くの処理（Ｓ１０１、Ｓ１１２〜Ｓ１１６）が実行される。一方、図９に示すように、データ移行モードで起動される場合は、通常起動モードで起動される場合に記憶部１９に特定種類データが移行されるときと比較して、電源ボタン１１ａが押されて電源がＯＮされて（Ｓ１３１）から記憶部１９への特定種類データの移行が開始される（Ｓ１２３）までに実行される処理が少なく、特定種類データの移行が早期に実行される。
【００７６】
以上に説明したように、ＭＦＰ１０は、通常起動モードで実行される処理のうち記憶部１９へ特定種類データを移行するのに不要な少なくとも一部の処理（Ｓ１１２〜Ｓ１１６）が実行されないデータ移行起動モードによって短時間で起動することができるので、記憶部１９へ特定種類データを移行する作業時間を短縮することができる。
【００７７】
なお、記憶部１９への特定種類データの移行は、ＭＦＰ１０の導入後の通常のＭＦＰ１０の利用時ではなく、ＭＦＰ１０の導入時に実行されることが多い。したがって、データ移行起動モードでは、プリンター１３、スキャナー１４、ファックス通信部１５および通信部１６が使用できなくても問題ない。
【００７８】
ＭＦＰ１０は、第１の操作で起動された場合（条件Ａ１）や、特定データ記憶デバイスとしてのＮＦＣタグ１８または記憶媒体９０が装着されている場合（条件Ａ２）にデータ移行起動モードで起動するので、利便性を向上することができる。例えば、ＭＦＰ１０は、条件Ａ２を満たす場合にデータ移行起動モードで起動するとき、データ移行起動モードで起動するために操作者による操作部１１への操作が不要であるので、利便性を向上することができる。
【００７９】
ＭＦＰ１０は、第２の操作で起動された場合（条件Ｂ１）や、記憶部１９に特定種類データ１９ｅが記憶されている場合（条件Ｂ２）に通常起動モードで起動するので、利便性を向上することができる。例えば、ＭＦＰ１０は、条件Ｂ２を満たす場合に通常起動モードで起動するとき、通常起動モードで起動するために操作者による操作部１１への操作が不要であるので、利便性を向上することができる。
【００８０】
なお、記憶部１９への特定種類データの移行は、通常、ＭＦＰ１０の導入時などに最初に１回だけ実行されることが多い。ＭＦＰ１０は、条件Ｂ２を満たす場合にデータ移行起動モードで起動せずに通常起動モードで起動するので、利便性を向上することができる。
【００８１】
ＭＦＰ１０は、データ移行起動促条件のうちの条件Ａ２を満たしている場合であっても、データ移行起動妨条件のうちの条件Ｂ１を満たしているときに、通常起動モードで起動するので、データ移行起動促条件のうちの特定の条件を満たしている場合であっても、データ移行起動モードで起動することが不要なときに、データ移行起動モードで起動することを防ぐことができる。例えば、データ９０ａが記憶されている記憶媒体９０を、ＭＦＰ１０の操作者が記憶部１９へ特定種類データを移行するため以外の目的で、ＭＦＰ１０によって使用したい場合に便利である。
【００８２】
ＭＦＰ１０は、データ移行起動妨条件のうちの条件Ｂ２を満たしている場合であっても、データ移行起動促条件のうちの条件Ａ１を満たしているときに、データ移行起動モードで起動するので、データ移行起動妨条件のうちの特定の条件を満たしている場合であっても、データ移行起動モードで起動することが必要なときに、データ移行起動モードで起動することができる。
【００８３】
ＭＦＰ１０は、特定データ記憶デバイスとしてのＮＦＣタグ１８や記憶媒体９０が装着されているという条件Ａ２を満たしたことによってデータ移行起動モードで起動された場合（Ｓ１２４でＹＥＳ）に、記憶部１９へ特定種類データ１９ｅを移行した（Ｓ１２３）後に、特定データ記憶デバイスから特定のデータを消去する（Ｓ１２５）ので、次回の起動時にデータ移行起動モードで起動されることを防ぐことができる。この構成は、ＮＦＣタグ１８など、ＭＦＰ１０に標準で装着されている記憶デバイスが特定データ記憶デバイスになる場合に特に効果が高い。
【００８４】
なお、ＭＦＰ１０は、Ｓ１２３の処理の後、Ｓ１２４およびＳ１２５の処理を実行せずに、Ｓ１２６の処理を実行しても良い。
【００８５】
ＭＦＰ１０は、データ移行起動促条件として上述した条件以外の条件が設定されても良い。例えば、ＭＦＰ１０は、データ移行起動促条件として、特定の操作で起動された場合に特定データ記憶デバイスとしてのＮＦＣタグ１８や記憶媒体９０が装着されているという条件が設定されても良い。ここで、特定の操作は、条件Ａ１における第１の操作であっても良く、他の操作であっても良い。同様に、ＭＦＰ１０は、データ移行起動妨条件として上述した条件以外の条件が設定されても良い。例えば、ＭＦＰ１０は、データ移行起動妨条件として、特定の操作で起動された場合に記憶部１９に特定種類データ１９ｅが記憶されているという条件が設定されても良い。ここで、特定の操作は、条件Ｂ１における第２の操作であっても良く、他の操作であっても良く、データ移行起動促条件における特定の操作と同じ操作であっても良い。この場合、データ移行起動促条件とデータ移行起動妨条件との両方を満たしている場合、データ移行起動妨条件が優先されても良い。また、データ移行起動促条件とデータ移行起動妨条件との両方を満たしている場合、データ移行起動促条件が優先されても良い。
【００８６】
ＭＦＰ１０は、条件組み合わせ情報１９ｈとして図４に示すもの以外のものが設定されても良い。例えば、ＭＦＰ１０は、データ移行起動妨条件のうちの条件Ｂ２を満たしている場合に、データ移行起動促条件のうちの何れを満たしているときであっても、データ移行起動妨条件が優先されても良い。
【００８７】
ＭＦＰ１０は、データ移行起動促条件のうちの特定の条件と、データ移行起動妨条件のうちの特定の条件との両方を満たしている場合にデータ移行起動促条件およびデータ移行起動妨条件の何れが優先されるかに基づいてではなく、データ移行起動促条件のうちのそれぞれの条件と、データ移行起動妨条件のうちのそれぞれの条件との優先度に基づいて、起動モードを決定しても良い。すなわち、ＭＦＰ１０は、条件組み合わせ情報１９ｈに代えて、図１０に示すような優先度情報１９ｉを記憶部１９に記憶しても良い。
【００８８】
例えば、図１０に示す優先度情報１９ｉが記憶部１９に記憶されている場合、ＭＦＰ１０は、条件Ｂ２を満たしていれば、データ移行起動促条件のうちの何れを満たしているときであっても、条件Ｂ２が優先されるので、通常起動モードで起動される。
【００８９】
ＭＦＰ１０は、本実施の形態において、データ移行起動モードでも表示部１２を起動する（Ｓ１２２）。しかしながら、ＭＦＰ１０は、データ移行起動モードにおいては、記憶部１９へ特定種類データを移行する処理を実行中であることや、記憶部１９へ特定種類データを移行する処理の進行状況を、例えばランプなど、表示部１２以外の手段によって表示しても良いし、何れの手段によっても表示しなくても良い。
【００９０】
ＭＦＰ１０は、本実施の形態において、Ｓ１２２の処理の後、Ｓ１２３の処理を自動で開始している。しかしながら、ＭＦＰ１０は、Ｓ１２２の処理の後、操作部１１に特定の操作が入力された場合にＳ１２３の処理を開始しても良い。
【００９１】
ＭＦＰ１０は、本実施の形態において、条件Ａ２を満たしたことによってデータ移行起動モードで起動されたのではないとＳ１２４において判断するか、Ｓ１２５の処理を終了すると、Ｓ１２６の処理を自動で開始している。しかしながら、ＭＦＰ１０は、条件Ａ２を満たしたことによってデータ移行起動モードで起動されたのではないとＳ１２４において判断するか、Ｓ１２５の処理を終了した後、操作部１１に特定の操作が入力された場合にＳ１２６の処理を開始しても良い。
【００９２】
本発明の電子機器は、本実施の形態においてＭＦＰであるが、プリンター専用機、コピー専用機など、ＭＦＰ以外の画像形成装置でも良いし、ＰＣ（Ｐｅｒｓｏｎａｌ  Ｃｏｍｐｕｔｅｒ）など、画像形成装置以外の電子機器でも良い。
【符号の説明】
【００９３】
１０  ＭＦＰ（電子機器）
１８  ＮＦＣタグ（特定データ記憶デバイス）
１８ａ  データ（特定のデータ）
１９  記憶部（特定種類データ用記憶デバイス）
１９ｂ  起動モード決定プログラム（データ移行プログラム）
１９ｃ  通常起動プログラム（データ移行プログラム）
１９ｄ  データ移行起動プログラム（データ移行プログラム）
１９ｅ  特定種類データ（特定の種類のデータ）
２０ａ  起動モード決定手段
２０ｂ  通常起動手段（機器起動手段）
２０ｃ  データ移行起動手段（機器起動手段）
９０  記憶媒体（特定データ記憶デバイス）
９０ａ  データ（特定のデータ）
【図１】
2018160139.tif 000003
【図２】
2018160139.tif 000004
【図３】
2018160139.tif 000005
【図４】
2018160139.tif 000006
【図５】
2018160139.tif 000007
【図６】
2018160139.tif 000008
【図７】
2018160139.tif 000009
【図８】
2018160139.tif 000010
【図９】
2018160139.tif 000011
【図１０】
2018160139.tif 000012